(57)【要約】  【課題】 階調表現能力を進めるようにしたプラズマディスプレイパネルの駆動装置及び方法を提供する。  【解決手段】本発明のプラズマディスプレイパネルの駆動装置は、外部から入力される格納データを少なくとも２つ以上のガンマ値を用いて逆ガンマ補正するための逆ガンマ調整ブロックと、逆ガンマ調整ブロックから逆ガンマ補正されて出力される少なくとも２つ以上の出力データのうちいずれか一つを出力するための選択部と、を備える。  【選択図】図4
2005165327.tif 000002
【特許請求の範囲】
【請求項１】
外部から入力される格納データを逆ガンマ補正するための逆ガンマ調整ブロックと、
前記逆ガンマ調整ブロックから出力されるデータを選択するための選択部と、を含むことを特徴とするプラズマディスプレイパネルの駆動装置。
【請求項２】
外部から入力される格納データを少なくとも２つ以上のガンマ値を用いて逆ガンマ補正するための逆ガンマ調整ブロックと、
前記逆ガンマ調整ブロックから逆ガンマ補正されて出力される少なくとも２つ以上の出力データのうちいずれか一つを出力するための選択部と、を含むことを特徴とするプラズマディスプレイパネルの駆動装置。
【請求項３】
前記逆ガンマ調整ブロックは、
前記格納データを逆ガンマ補正するための互いに相異なるガンマテーブルを持つ逆ガンマ調整部を少なくとも２つ以上含むことを特徴とする請求項２記載のプラズマディスプレイパネルの駆動装置。
【請求項４】
前記逆ガンマ調整ブロックに含まれた一つの逆ガンマ調整部は、２.２ガンマテーブルを用いて格納データを逆ガンマ補正することを特徴とする請求項３記載のプラズマディスプレイパネルの駆動装置。
【請求項５】
前記２.２ガンマテーブルを持つ逆ガンマ調整部を除いた残りの逆ガンマ調整部は、前記２.２ガンマテーブルを変更した変形ガンマテーブルを用いて格納データを逆ガンマ補正することを特徴とする請求項４記載のプラズマディスプレイパネルの駆動装置。
【請求項６】
前記変形ガンマテーブルは、前記２.２ガンマテーブルに一定の値を加算または減算して生成されることを特徴とする請求項５記載のプラズマディスプレイパネルの駆動装置。
【請求項７】
前記変形ガンマテーブルは、前記２.２ガンマテーブルに一定の値を乗算ま他は除算して生成されることを特徴とする請求項５記載のプラズマディスプレイパネルの駆動装置。
【請求項８】
前記変形ガンマテーブルは、前記２.２ガンマテーブルの出力階調値をシフトして生成されることを特徴とする請求項５記載のプラズマディスプレイパネルの駆動装置。
【請求項９】
前記変形ガンマテーブルは、前記２.２ガンマテーブルの一部領域の値を変更して生成されることを特徴とする請求項５〜８のいずれか記載のプラズマディスプレイパネルの駆動装置。
【請求項１０】
前記変形ガンマテーブルは、前記２.２ガンマテーブルの全体領域の値を変更して生成されることを特徴とする請求項５〜８のいずれか記載のプラズマディスプレイパネルの駆動装置。
【請求項１１】
前記選択部は、ピクセルクロック、水平同期信号及び垂直同期信号のうち少なくとも一つ以上を用いて前記二つ以上の出力データのうちいずれか一つを出力することを特徴とする請求項２乃至１０の何れかに記載のプラズマディスプレイパネルの駆動装置。
【請求項１２】
前記選択部は、前記ピクセルクロックに応じて前記二つ以上の出力データをピクセル毎に交互に出力することを特徴とする請求項１１記載のプラズマディスプレイパネルの駆動装置。
【請求項１３】
前記選択部は、前記水平同期信号に応じて前記二つ以上の出力データをライン毎に交互に出力することを特徴とする請求項１１記載のプラズマディスプレイパネルの駆動装置。
【請求項１４】
前記選択部は、前記垂直同期信号に応じて前記二つ以上の出力データをフレーム毎に交互に出力することを特徴とする請求項１１記載のプラズマディスプレイパネルの駆動装置。
【請求項１５】
前記選択部は、前記ピクセルクロックに応じて選択する出力データをピクセル毎に変更するとともに、前記水平同期信号に応じて選択する出力データをライン毎に変更し、前記垂直同期信号に応じて選択する出力データをフレーム毎に変更することを特徴とする、請求項１１に記載のプラズマディスプレイパネルの駆動装置。
【請求項１６】
２.２ガンマテーブル及び前記２.２ガンマテーブルと相異なるガンマ値を有する少なくとも一つ以上の変形ガンマテーブルを設ける段階と、
外部から入力される格納データを前記２.２ガンマテーブル及び前記少なくとも一つ以上の変形ガンマテーブルを用いて逆ガンマ補正する段階と、
前記２.２ガンマテーブル及び前記少なくとも一つ以上の変形ガンマテーブルによって逆ガンマ補正された出力データのうちいずれか一つを出力する段階と、を含むことを特徴とするプラズマディスプレイパネルの駆動方法。
【請求項１７】
前記変形ガンマテーブルは、前記２.２ガンマテーブルに一定の値を加算または減算して生成されることを特徴とする請求項１６記載のプラズマディスプレイパネルの駆動方法。
【請求項１８】
前記変形ガンマテーブルは、前記２.２ガンマテーブルに一定の値を乗算または除算して生成されることを特徴とする請求項１６記載のプラズマディスプレイパネルの駆動方法。
【請求項１９】
前記変形ガンマテーブルは、前記２.２ガンマテーブルの出力階調値をシフトして生成されることを特徴とする請求項１６記載のプラズマディスプレイパネルの駆動方法。
【請求項２０】
前記変形ガンマテーブルは、前記２.２ガンマテーブルの一部領域の値を変更して生成されることを特徴とする請求項１７〜１９のいずれか記載のプラズマディスプレイパネルの駆動方法。
【請求項２１】
前記変形ガンマテーブルは、前記２.２ガンマテーブルの全体領域の値を変更して生成されることを特徴とする請求項１７〜１９のいずれか記載のプラズマディスプレイパネルの駆動方法。
【請求項２２】
前記逆ガンマ補正された出力データのうちいずれか一つを出力する段階では、外部から入力されるピクセルクロック、水平同期信号及び垂直同期信号のいずれか少なくとも一つ以上を用いて前記出力データのうちいずれか一つを出力することを特徴とする請求項１６乃至２１の何れか記載のプラズマディスプレイパネルの駆動方法。
【請求項２３】
前記逆ガンマ補正された出力データのうちいずれか一つを出力する段階では、前記ピクセルクロックに応じて前記出力データをピクセル毎に交互に出力することを特徴とする請求項２２記載のプラズマディスプレイパネルの駆動方法。
【請求項２４】
前記逆ガンマ補正された出力データのうちいずれか一つを出力する段階では、前記水平同期信号に応じて前記出力データをライン毎に交互に出力することを特徴とする請求項２２記載のプラズマディスプレイパネルの駆動方法。
【請求項２５】
前記逆ガンマ補正された出力データのうちいずれか一つを出力する段階では、前記垂直同期信号に応じて前記出力データをフレーム毎に交互に出力することを特徴とする請求項２２記載のプラズマディスプレイパネルの駆動方法。
【請求項２６】
前記逆ガンマ補正された出力データのうちいずれか一つを出力する段階では、前記ピクセルクロックに応じて選択する出力データをピクセル毎に変更するとともに、前記水平同期信号に応じて選択する出力データをライン毎に変更し、前記垂直同期信号に応じて選択する出力データをフレーム毎に変更することを特徴とする、請求項２２記載のプラズマディスプレイパネルの駆動方法。
【発明の詳細な説明】
【技術分野】
【０００１】
本発明は、プラズマディスプレイパネルの駆動装置及び方法に係り、特に、階調表現能力を向上させるようにしたプラズマディスプレイパネルの駆動装置及び方法に関する。
【背景技術】
【０００２】
プラズマディスプレイパネル（Plasma Display Panel：以下、「ＰＤＰ」という）は、ガス放電によって発生する紫外線が蛍光体を励起させるときに蛍光体から発生する可視光線を用いて画像を表示する。かかるＰＤＰは、今まで表示手段の主軸を成してきた陰極線管（Cathode Ray Tube：ＣＲＴ）に比べて厚さが薄くて軽く、かつ高鮮明／大画面の具現が可能であるという長所がある。
【０００３】
図１及び図２を参照すれば、３電極交流面放電型ＰＤＰは、上部基板１０上に形成された走査電極Ｙ１〜Ｙｎ及び維持電極Ｚと、下部基板１８上に形成されたアドレス電極Ｘ１〜Ｘｍと、を備える。
【０００４】
このＰＤＰの放電セル１は、走査電極Ｙ１〜Ｙｎ、維持電極Ｚ及びアドレス電極Ｘ１〜Ｘｍの交差部毎に形成される。
【０００５】
走査電極Ｙ１〜Ｙｎと維持電極Ｚのそれぞれは、透明電極１２と、透明電極１２の線幅より小さい線幅を有し、透明電極の一側縁に形成される金属バス電極１１と、を含む。透明電極１２は、通常インジウムスズ酸化物（Indium-Tin-Oxide：ＩＴＯ）で上部基板１０上に形成される。金属バス電極１１は、通常金属で透明電極１２上に形成され、高抵抗の透明電極１２による電圧降下を減らす役割を果す。走査電極Ｙ１〜Ｙｎと維持電極Ｚが形成された上部基板１０には、上部誘電体層１３と保護膜１４が積層される。上部誘電体層１３上にはプラズマ放電時に発生した壁電荷が蓄積される。保護膜１４は、プラズマ放電時に発生したスパッタリングによる電極Ｙ１〜Ｙｎ、Ｚと上部誘電体層１３の損傷を防止すると共に、２次電子の放出効率を高める。この保護膜１４としては通常酸化マグネシウム（ＭｇＯ）が利用される。
【０００６】
アドレス電極Ｘ１〜Ｘｍは、走査電極Ｙ１〜Ｙｎ及び維持電極Ｚと交差する方向に下部基板１８上に形成される。下部基板１８上には下部誘電体層１７と隔壁１５が形成される。下部誘電体層１７と隔壁１５の表面には蛍光体層１６が形成される。隔壁１５は、ストライプ型または格子型に形成され、放電セルを物理的に区分し、隣接した放電セル１間の電気的、光学的干渉を遮断する。蛍光体層１６は、プラズマ放電時に発生した紫外線によって励起・発光して赤色、緑色または青色のいずれか一つの可視光線を発生させる。
【０００７】
上／下部基板１０、１８と隔壁１５との間に設けられた放電セルの放電空間には、放電のためのＨｅ＋Ｘｅ、Ｎｅ＋ＸｅまたはＨｅ＋Ｎｅ＋Ｘｅなどの不活性混合ガスが注入される。
【０００８】
このようなＰＤＰは、画像の階調（Gray Level）を具現するために一つのフレームを、発光回数の異なる複数のサブフィールドに分けて時分割駆動している。各サブフィールドは、放電を一様に起こすためのリセット期間と、放電セルを選択するためのアドレス期間と、放電回数によって階調を具現するサステイン期間と、に分けられる。例えば、２５６階調で画像を表示しようとする場合、１／６０秒に該当するフレーム期間（１６.６７ｍｓ）は、８個のサブフィールドに分けられる。また、８個のサブフィールドのそれぞれは、リセット期間、アドレス期間及びサステイン期間にさらに分けられる。ここで、各サブフィールドのリセット期間及びアドレス期間は各サブフィールド毎に同一である反面、サステイン期間とその放電回数はサステインパルスの数に比例して各サブフィールドにおいて２ｎ（ｎ＝０、１、２、３、４、５、６、７）の割合で増加する。このように各サブフィールドでサステイン期間が変わるので、画像の階調を具現することができる。
【０００９】
図３は、従来のプラズマディスプレイパネルの駆動装置を示す図である。
【００１０】
図３を参照すれば、従来のＰＤＰの駆動装置は、逆ガンマ調整部３１とデータ整列部３５との間に接続されたゲイン調整部３２、誤差拡散部３３及びサブフィールドマッピング部３４と、逆ガンマ調整部３１と波形発生部３７との間に接続されたＡＰＬ算出部３６と、を備える。
【００１１】
逆ガンマ補正部３１は、入力ライン３０からのデジタルビデオデータＲＧＢを２.２ガンマテーブルを用いて映像信号の階調値に対する輝度を線形的に変換させる。
【００１２】
ゲイン調整部３２は、赤色、緑色及び青色の各データ別に有効利得を調整して色温度を補償する。
【００１３】
誤差拡散部３３は、ゲイン調整部３２から入力されるデジタルビデオデータＲＧＢの量子化誤差を隣接したセルに拡散させることにより、階調値を微細に調整する。
【００１４】
サブフィールドマッピング部３４は、誤差拡散部３３から入力されたデータを各ビット別に予め格納されたサブフィールドパターンにマッピングし、そのマッピングデータをデータ整列部３５に供給する。
【００１５】
データ整列部３５は、サブフィールドマッピング部３４から入力されるデジタルビデオデータをパネル３８のデータ駆動回路に供給する。データ駆動回路は、パネル３８のアドレス電極に接続されてデータ整列部３５から入力されるデータを１水平ライン分ずつラッチした後、このラッチされたデータを１水平期間単位でパネル３８のアドレス電極に供給する。
【００１６】
ＡＰＬ算出部３６は、逆ガンマ補正部３１から入力されるデジタルビデオデータＲＧＢに対して１画面単位で平均輝度、すなわちＡＰＬ（Avarage Picture Level）を算出し、算出されたＡＰＬに対応するサステインパルス数の情報を出力する。
【００１７】
波形発生部３７は、ＡＰＬ算出部３６からのサステインパルス数の情報に応答してタイミング制御信号を生成し、そのタイミング制御信号を図示しないスキャン駆動回路とサステイン駆動回路とに供給する。スキャン駆動回路とサステイン駆動回路は、波形発生部３７から入力されるタイミング制御信号に応答し、サステイン期間中にパネル３８のスキャン電極とサステイン電極とにサステインパルスを供給する。
【００１８】
このような従来のＰＤＰでは、１フレームに含まれたサブフィールドを用いて階調を表現するから階調表現能力に限界がある。また、サブフィールドのみを用いて階調を表現すると、パネル３８で擬似輪郭ノイズが発生する。
【００１９】
よって、従来のＰＤＰでは、誤差拡散部３３を用いて階調の表現能力を向上させる。言い換えれば、誤差拡散部３３は、データの量子化誤差データを算出し、算出した誤差データを加重値を異にして隣接した画素に拡散させることで階調を拡張させる。しかし、このような誤差拡散方法は、隣接した画素に対する誤差拡散係数（すなわち、加重値）が一定に設定され、ライン毎に且つフレーム毎に繰り返されることで誤差拡散模様が発生するという問題点がある。
【発明の開示】
【発明が解決しようとする課題】
【００２０】
本発明の目的は、階調表現能力を向上させるようにしたプラズマディスプレイパネルの駆動装置及び方法を提供する。
【課題を解決するための手段】
【００２１】
本発明のプラズマディスプレイパネルの駆動装置は、外部から入力される格納データを少なくとも２つ以上のガンマ値を用いて逆ガンマ補正するための逆ガンマ調整ブロックと、逆ガンマ調整ブロックから逆ガンマ補正されて出力される少なくとも２つ以上の出力データのうちいずれか一つを出力するための選択部と、を備える。
【００２２】
前記逆ガンマ補正ブロックは、格納データを逆ガンマ補正するための少なくとも相異なるガンマテーブルを持つ２つ以上の逆ガンマ調整部を備える。
【００２３】
前記逆ガンマ補正ブロックに含まれた一つの逆ガンマ調整部は、２.２ガンマテーブルを用いて格納データを逆ガンマ補正する。
【００２４】
前記２.２ガンマテーブルを持つ逆ガンマ調整部を除いた残りの逆ガンマ調整部は、２.２ガンマテーブルを変更した変形ガンマテーブルを用いて格納データを逆ガンマ補正する。
【００２５】
前記変形ガンマテーブルは、２.２ガンマテーブルに一定の値を加算または減算して生成される。
【００２６】
前記変形ガンマテーブルは、２.２ガンマテーブルに一定の値を乗算または除算して生成される。
【００２７】
前記変形ガンマテーブルは、２.２ガンマテーブルの出力階調値をシフトして生成される。
【００２８】
前記変形ガンマテーブルは、２.２ガンマテーブルの一部領域の値を変更して生成される。
【００２９】
前記変形ガンマテーブルは、２.２ガンマテーブルの全体領域の値を変更して生成される。
【００３０】
前記選択部は、ピクセルクロック、水平同期信号及び垂直同期信号のうち少なくとも一つ以上を用いて二つ以上の出力データのうちいずれか一つを出力する。
【００３１】
前記選択部は、ピクセルクロックに応じて二つ以上の出力データをピクセル毎に交互に出力する。
【００３２】
前記選択部は、水平同期信号に応じて二つ以上の出力データをライン毎に交互に出力する。
【００３３】
前記選択部は、垂直同期信号にしたがって二つ以上の出力データをフレーム毎に交互に出力する。
【００３４】
本発明のプラズマディスプレイパネルの駆動方法は、２.２ガンマテーブル及び２.２ガンマテーブルと相異なるガンマ値を有する少なくとも一つ以上の変形ガンマテーブルを設ける段階と、外部から入力される格納データを２.２ガンマテーブル及び少なくとも一つ以上の変形ガンマテーブルを用いて逆ガンマ補正する段階と、２.２ガンマテーブル及び少なくとも一つ以上の変形ガンマテーブルによって逆ガンマ補正された出力データのうちいずれか一つを出力する段階と、を含む。
【００３５】
前記変形ガンマテーブルは、２.２ガンマテーブルに一定の値を加算または減算して生成される。
【００３６】
前記変形ガンマテーブルは、２.２ガンマテーブルに一定の値を乗算また除算して生成される。
【００３７】
前記変形ガンマテーブルは、２.２ガンマテーブルの出力階調値をシフトして生成される。
【００３８】
前記変形ガンマテーブルは、２.２ガンマテーブルの一部領域の値を変更して生成される。
【００３９】
前記変形ガンマテーブルは、前記２.２ガンマテーブルの全体領域の値を変更して生成される。
【００４０】
前記逆ガンマ補正された出力データのうちいずれか一つを出力する段階では、外部から入力されるピクセルクロック、水平同期信号及び垂直同期信号のいずれか少なくとも一つ以上を用いて出力データのうちいずれか一つを出力する。
【００４１】
前記逆ガンマ補正された出力データのうちいずれか一つを出力する段階では、ピクセルクロックに応じて出力データをピクセル毎に交互に出力する。
【００４２】
前記逆ガンマ補正された出力データのうちいずれか一つを出力する段階では、水平同期信号に応じて出力データをライン毎に交互に出力する。
【００４３】
前記逆ガンマ補正された出力データのうちいずれか一つを出力する段階では、垂直同期信号に応じて出力データをフレーム毎に交互に出力する。
【発明の効果】
【００４４】
本発明に係るプラズマディスプレイパネルの駆動装置及び方法によれば、少なくとも二つ以上の逆ガンマ補正部を用いてデータを逆ガンマ補正し、逆ガンマ補正されたデータをピクセルクロック、垂直同期信号及び水平同期信号に対応して交互に出力することにより、階調の表現能力を拡張することができる。このように階調の表現能力が拡張されると、誤差拡散模様及び擬似輪郭ノイズが減少して画質を向上させることができる。
【発明を実施するための最良の形態】
【００４５】
以下、本発明の実施形態を添付図を参照して詳しく説明する。
【００４６】
図４は、本発明の実施形態に係るＰＤＰの駆動装置を示す図である。
【００４７】
図４を参照すれば、本発明の実施形態に係るＰＤＰの駆動装置は、逆ガンマ調整ブロック５２及び選択部５４と、選択部５４とパネル６８との間に接続されたゲイン調整部５６、誤差拡散部５８、サブフィールドマッピング部６０及びデータ整列部６２と、選択部５４とパネル６８との間に接続されたＡＰＬ算出部６４及び波形発生部６６と、を備える。
【００４８】
逆ガンマ調整ブロック５２は、入力ライン５０からのビデオデータＲＧＢを逆ガンマ補正する。選択部５４は、逆ガンマ調整ブロック５２から出力される多数の出力値のいずれか一つの出力値を選択する。このような逆ガンマ調整ブロック５２及び選択部５４の構成及び動作過程は後述する。
【００４９】
ゲイン調整部５６は、逆ガンマ補正されて出力される赤色、緑色及び青色の各データ別に有効利得を調整して色温度を補償する。
【００５０】
誤差拡散部５８は、ゲイン調整部５６から入力される逆ガンマ補正されたビデオデータＲＧＢの量子化誤差を隣接したセルに拡散させることで階調値を微細に調整する。
【００５１】
サブフィールドマッピング部６０は、誤差拡散部５８から入力されたデータを各ビット別に予め格納されたサブフィールドパターンにマッピングし、そのマッピングデータをデータ整列部６２に供給する。
【００５２】
データ整列部６２は、サブフィールドマッピング部６０から入力されるデータをパネル６８のデータ駆動回路に供給する。データ駆動回路は、パネル６８のアドレス電極に接続されてデータ整列部６２から入力されるデータを１水平ラインずつラッチした後、ラッチされたデータを１水平期間単位でパネル６８のアドレス電極に供給する。
【００５３】
ＡＰＬ算出部６４は、逆ガンマ補正されて出力されるデータＲＧＢに対して１画面単位で平均輝度、すなわちＡＰＬを算出し、算出されたＡＰＬに対応するサステインパルス数の情報を出力する。
【００５４】
波形発生部６６は、ＡＰＬ算出部６４からのサステインパルス数の情報に応答してタイミング制御信号を生成し、そのタイミング制御信号を図示しないスキャン駆動回路とサステイン駆動回路とに供給する。スキャン駆動回路とサステイン駆動回路は、波形発生部６６から入力されるタイミング制御信号に応答し、サステイン期間中にパネル６８のスキャン電極とサステイン電極とにサステインパルスを供給する。
【００５５】
逆ガンマ調整ブロック５２は、入力ライン５０からのビデオデータＲＧＢを多数の逆ガンマテーブルを用いて逆ガンマ補正する。言い換えれば、逆ガンマ調整ブロック５２は入力ライン５０から入力されるビデオデータＲＧＢを多数のガンマ値を用いて逆ガンマ補正し、これにより一つのビデオデータＲＧＢの入力階調値に対応して多数の出力階調値が生成される。
【００５６】
このために、逆ガンマ調整ブロック５２は、少なくとも２つ以上の逆ガンマ調整部、例えば、図４のように４個の逆ガンマ調整部５２Ａ、５２Ｂ、５２Ｃ、５３Ｄを備える。第１逆ガンマ調整部５２Ａは、従来と同一に２.２ガンマ値を用いて入力データを逆ガンマ補正する。
【００５７】
第２逆ガンマ調整部５２Ｂは、第１逆ガンマ調整部５２Ａと相異なるガンマ値を用いて入力データを逆ガンマ補正する。第３逆ガンマ調整部５２Ｃは、第１及び第２逆ガンマ調整部５２Ａ、５２Ｂと相異なるガンマ値を用いて入力データを逆ガンマ補正する。第４逆ガンマ調整部５２Ｄは、第１〜第３逆ガンマ調整部５２Ａ〜５２Ｃと相異なるガンマ値を用いて入力データを逆ガンマ補正する。
【００５８】
よって、入力ライン５０から入力される一つのデータの入力階調値は、４個のガンマ値に補正されて４個の階調値として出力される。ここで、逆ガンマ調整ブロック５２に含まれた多数の逆ガンマ調整部５２Ａ〜５２Ｄのうち一つの逆ガンマ調整部５２Ａは２.２ガンマテーブルを有し、残りの逆ガンマ調整部５２Ｂ〜５２Ｄは２.２ガンマテーブルを変形して生成されたガンマテーブルを有する。
【００５９】
第２〜第４逆ガンマ調整部５２Ｂ〜５２Ｄのガンマテーブルは、２.２ガンマテーブルを多様な形態に変形して生成される。例えば、図５のように第２〜第４逆ガンマ調整部５２Ｂ〜５２Ｄは、２.２ガンマテーブルに一定値を加算または減算して生成される。すなわち、第２逆ガンマ調整部５２Ｂのガンマテーブルは、２.２ガンマテーブルに０.１の値を加えて生成される。また、第３逆ガンマ調整部５２Ｃのガンマテーブルは、２.２ガンマテーブルに０.０１の値を加えて生成される。また、第４逆ガンマ調整部５２Ｄのガンマテーブルは、２.２ガンマテーブルに０.２の値を加えて生成される。ここで、２.２ガンマテーブルに一定の値を加えてガンマテーブルを生成すると、図５に示すように低階調の表現能力が向上する。言い換えれば、２.２ガンマテーブルでは、外部から入力される“０”〜“５”の階調は‘０'の階調値を出力する。しかし、２.２ガンマテーブルに一定の値を加えてガンマテーブルを生成すると、低階調でも所定の階調値が出力されるので、低階調の表現能力を向上させることができる。
【００６０】
また、第２〜第４逆ガンマ調整部５２Ｂ〜５２Ｄのガンマテーブルは、図６のように２.２ガンマテーブルを上／下にシフトして生成される。例えば、第２逆ガンマ調整部５２Ｂのガンマテーブルは、２.２ガンマテーブルを３階調ずつ上方にシフトして生成される。また、第３逆ガンマ調整部５２Ｃのガンマテーブルは、２.２ガンマテーブルを６階調ずつ上方にシフトして生成される。また、第４逆ガンマ調整部５２Ｄのガンマテーブルは、２.２ガンマテーブルを４階調ずつ上方にシフトして生成される。ここで、２.２ガンマテーブルをシフトしてガンマテーブルを生成すると、図６に示すように階調の表現能力が向上する。
【００６１】
また、第２〜第４逆ガンマ調整部５２Ｂ〜５２Ｄのガンマテーブルは、図７のように、２.２ガンマテーブルの一部階調を変更して生成され得る。例えば、第２〜第４逆ガンマ調整部５２Ｂ〜５２Ｄのガンマテーブルは、２.２ガンマテーブルの低階調領域（例えば１６階調以下）を変更して生成され得る。
【００６２】
実際、本発明において第２〜第４逆ガンマ調整部５２Ｂ〜５２Ｄのガンマテーブルは、多様な方法によって生成される。例えば、第２〜第４逆ガンマ調整部５２Ｂ〜５２Ｄのガンマテーブルは、２.２ガンマテーブルに一定の値を乗算または除算して生成され得る。また、第２〜第４逆ガンマ調整部５２Ｂ〜５２Ｄのガンマテーブルは、図５乃至図７の方法を混合して生成され得る。言い換えれば、第２逆ガンマ調整部５２Ｂの逆ガンマテーブルは２.２ガンマテーブルに一定の値を加算まは減算して生成され、第３逆ガンマ調整部５２Ｃの逆ガンマテーブルは２.２ガンマテーブルの一部領域を変更して生成され得る。また、第４逆ガンマ調整部５２Ｄの逆ガンマテーブルは、２.２ガンマテーブルをシフトして生成され得る。実際、本発明において第２〜第４逆ガンマ調整部５２Ｂ〜５２Ｄのガンマテーブルは、実験的に最適の画像が表示される値に決定される。
【００６３】
選択部５４は、第１〜第４逆ガンマ調整部５２Ａ〜５２Ｄから入力される階調値のいずれか一つの階調値を出力する。このために、選択部５４は、外部からピクセルクロックＰ、水平同期信号Ｈ及び垂直同期信号Ｖの入力を受ける。ピクセルクロックＰ、水平同期信号Ｈ及び垂直同期信号Ｖの入力を受けた選択部５４は、ピクセルクロックＰ、水平同期信号Ｈ及び垂直童身信号Ｖのうち少なくとも一つ以上を用いて、第１〜第４逆ガンマ調整部５２Ａ〜５２Ｄから入力される階調値のいずれか一つの階調値を選択する。
【００６４】
例えば、選択部５４は、図８ａに示すように、ｉ（ｉは自然数）番目のフレームで第１逆ガンマ調整部５２Ａの第１出力階調Ａ及び第２逆ガンマ調整部５２Ｂの第２出力階調Ｂを、ピクセルクロックＰ及び水平同期信号Ｈに対応して交互に表示する（ここで、ピクセルクロックＰ及び水平同期信号Ｈに対応して４個の出力階調値のうち２個の出力階調値を交互させる）。その後、垂直同期信号Ｖによって区分されるi＋１番目のフレームでは、第３逆ガンマ調整部５２Ｃの第３出力階調Ｃ及び第４逆ガンマ調整部５２Ｄの第４出力階調Ｄを、ピクセルクロックＰ及び水平同期信号Ｈに対応して交互に表示する。
【００６５】
このようにピクセルクロックＰ、水平同期信号Ｈ及び垂直同期信号Ｖを用いて第１〜第４逆ガンマ調整部５２Ａ〜５２Ｄの出力値を制御すると、フレーム、ピクセル及びライン毎に互いに異なるガンマ値に補正されたデータの画像が表示され、これにより平均的に階調を拡張することができる。換言すれば、従来では、２.２ガンマテーブルを用いて逆ガンマ補正されたデータに対応する画像のみが表示されるので、表現可能な階調が限定される。しかし、本発明では、少なくとも２つ以上の相異なるガンマテーブルを用いて逆ガンマ補正されたデータを用いて画像を表示するので、平均的に多様な階調を表示することができる。
【００６６】
また、本発明では、選択部５４から出力される出力階調値（すなわち、出力データ）を用いて誤差拡散をするので、誤差拡散エラーを防止することができる。言い換えれば、誤差拡散エラーは、誤差拡散係数が一定に繰り返されることで発生する。しかし、本発明では、選択部５４からピクセル、ライン及びフレーム単位で互いに異なるガンマテーブルによって逆ガンマ補正されたデータが出力されるので、ピクセル単位で階調値の差が発生し、これにより一定の加重値を有する誤差拡散係数を用いて誤差拡散を行っても誤差拡散エラーが発生しない。
【００６７】
一方、本発明において選択部５４の出力は、ピクセルクロックＰ、水平同期信号Ｈ及び垂直同期信号Ｖのうち少なくとも一つ以上に対応して多様に設定され得る。例えば、選択部５４は、図８ｂのように、ピクセルクロックＰに対応して第１〜第４出力階調Ａ〜Ｄを交互に出力するすると共に、水平同期信号Ｈに対応してライン毎に第１〜第４出力階調Ａ〜Ｄを交互に出力する。また、選択部５４は、垂直同期信号Ｖに対応してフレーム毎に第１〜第４出力階調Ａ〜Ｄを交互に出力する。実際、本発明において選択部５４での出力は、最適の画像が表示される値に実験的に決定される。
【図面の簡単な説明】
【００６８】
.
【図１】従来のプラズマディスプレイパネルを概略的に示す平面図である。
【図２】図１に示したセルの構造を詳しく示す斜視図である。
【図３】従来のプラズマディスプレイパネルの駆動装置を示すブロック図である。
【図４】本発明の実施形態に係るプラズマディスプレイパネルの駆動装置を示すブロック図である。
【図５】図４に示した逆ガンマ調整部に格納される逆ガンマテーブルの第１実施形態を示す図である。
【図６】図４に示した逆ガンマ調整部に格納される逆ガンマテーブルの第２実施形態を示す図である。
【図７】図４に示した逆ガンマ調整部に格納される逆ガンマテーブルの第３実施形態を示す図である。
【図８】図８ａ及び図８ｂは図４に示した選択部の制御によって出力される出力データを示す図である。
【図１】
2005165327.tif 000003
【図２】
2005165327.tif 000004
【図３】
2005165327.tif 000005
【図４】
2005165327.tif 000006
【図５】
2005165327.tif 000007
【図６】
2005165327.tif 000008
【図７】
2005165327.tif 000009
【図８】
2005165327.tif 000010